(57)【特許請求の範囲】
【請求項１】
幅方向に対向立設している両側壁部材と、この両側壁部材に幅方向に跨がるようにヒンジ形式で接合している上版部材とを長手方向に連結して、内部に前記長手方向へ指向する複数の中空部を形成したものを、前記中空部を並列させた状態で複数形成してなる中空構造物であり、前記各中空部間で対向する前記側壁部材間に、該側壁部材を両側の壁部材とする前記長手方向へ指向する空洞部を形成していることを特徴とする複数の中空部を有する中空構造物。
【請求項２】
前記空洞部は、前記両側の壁部材間における略全ての部分を利用することで形成していることを特徴とする請求項１記載の複数の中空部を有する中空構造物。
【請求項３】
前記空洞部は、前記両側の壁部材間における一部分を利用することで形成していることを特徴とする請求項１記載の複数の中空部を有する中空構造物。
【発明の詳細な説明】
【０００１】
【発明の属する技術分野】
この発明は、例えば、並列した複数のトンネル（中空部）を一体に形成してなる構造物などの、並列した状態の複数の中空部を有する中空構造物に関するものである。
【０００２】
【従来の技術】
従来、この種の中空構造物としては、図３に示すように、二列のトンネル20（中空部）を一体に形成したものが一般に知られている。
【０００３】
そして、このトンネル20を二列一体に形成した場合には、図３に示すように、各トンネル20（中空部）の管理や避難用の通路およびケーブル等の配設や水路等の設備用通路などに利用する専用部分21を設けているものが一般的である。
【０００４】
【発明が解決しようとする課題】
前述した従来の中空構造物では、図３に示すように、管理や避難用の通路および設備用通路などに利用する専用部分21を、各トンネル20（中空部）毎に設けており、中空構造物22を複雑な構造で高価なものとしていた。
【０００５】
この発明は前述した事情に鑑みて創案されたもので、その目的は簡単な構造で安価なものとすることのできる複数の中空部を有する中空構造物を提供することにある。
【０００６】
【課題を解決するための手段】
この発明では、複数の中空部を有する中空構造物を、例えば、複数並列したトンネル（中空部）を一体形成してなる構造物として用いた時に、各トンネル（中空部）間に位置する壁部材間の空洞部を、トンネルの管理や避難用の通路およびトンネルの設備用通路などに利用することとする。
【０００７】
すなわち、請求項１に係る発明は、幅方向に対向立設している両側壁部材と、この両側壁部材に幅方向に跨がるようにヒンジ形式で接合している上版部材とを長手方向に連結して、内部に前記長手方向へ指向する複数の中空部を形成したものを、前記中空部を並列させた状態で複数形成してなる中空構造物であり、前記各中空部間で対向する前記側壁部材間に、該側壁部材を両側の壁部材とする前記長手方向へ指向する空洞部を形成していることを特徴とするものであり、この空洞部を各中空部の共通の前述した通路などに利用できるようにしている。
【０００８】
そして、この発明によれば、各中空部間の壁部材を、前述した管理や避難用通路および設備用通路などに利用できるようにしたことにより、従来の中空構造物のように専用部分21（図３参照）を設ける必要がなくなって、複数の中空部を有する中空構造物を簡単な構造として安価に提供できるようにしている。
【０００９】
【発明の実施の形態】
以下、この発明の複数の中空部を有する中空構造物を、図示する一実施形態で説明する。
【００１０】
中空構造物１（図１参照）は、幅方向に対向立設している両側壁部材２と、この両側壁部材２に幅方向に跨がるように接合している上版部材３とを長手方向に連結して、内部に長手方向へ指向する複数の中空部４を形成していると共に、この中空部４を並列した状態で複数形成して各中空部４間で対向する側壁部材２を両側の壁部材５として、その間に長手方向へ指向する空洞部６を形成している。
【００１１】
なお、この図１に示した実施形態での中空構造物１は、盛土形式で設置するトンネル（中空部４）を有する構造物であり、中空部４である並列したトンネルを二列一体に形成しているものである。
【００１２】
また、中空構造物１は、その両側壁部材２と上版部材３とをヒンジ形式で接合しているものである。
【００１３】
さらに、この実施形態での空洞部４は、両側の壁部材５間における略全ての部分を利用して形成している。この空洞部４は、図示しないが、両側の壁部材５間における一部分を利用して形成したものでもよい。
【００１４】
このような構成からなる、この発明における複数の中空部４を有する中空構造物１を、実際に、図１に示すような並列しているトンネルを二列一体にした構造物に用いると、その各トンネル（中空部４）間に位置する両側壁部材２（壁部材５）の内部に空洞部６を形成しているので、その空洞部６を、各トンネル（各中空部４）における共通の通路等（トンネル管理や避難用の通路，トンネルの設備用通路，水路等）として利用することができるようになる。
【００１５】
そのため、この発明によれば、前述した従来の中空構造物（図３参照）のように、各トンネル20（中空部４）毎に通路や水路等として利用する専用部分22を設ける必要がなくなり、従来では複雑な構造になりがちな、複数の中空部を有する中空構造物を簡単な構造として安価に提供することができるようになる。
【００１６】
また、例えば、この空洞部６を共通の設備用通路として利用するようにすれば、各トンネル（各中空部４）の保守点検等の作業を、効率よく行うことができるようになる。
【００１７】
さらに、例えば、この空洞部６を従来の専用部分22（図２参照）と併用するようにすれば、トンネル管理や避難用の通路，トンネルの設備用通路，水路等の利用範囲が広がって、種々の用い方が考えられる。
【００１８】
しかも、この空洞部６を、例えば上下に分けるような、分割形態にすれば、種々の用途に使用することができる。
【００１９】
図２は、この発明における複数の中空部４を有する中空構造物１の別形態を示すものである。ここでの中空構造物１は、三列のトンネル（中空部４）を一体にしている。
【００２０】
このように、この発明の中空構造物１は、複数のトンネル（中空部４）を形成するものに対応することができる。
【００２１】
【発明の効果】
この発明の複数の中空部を有する中空構造物では、各中空部を、両側壁部材とこの両側壁部材に幅方向に跨がるようにヒンジ形式で接合している上版部材とを長手方向に連結して形成し、このような中空部を並列させた状態で複数形成し、各中空部間で対向する側壁部材間に、その側壁部材を両側の壁部材とする空洞部を形成して、その空洞部を各中空部の共通の通路などに利用できるようにしている。
【００２２】
即ち、複数の中空部を有する中空構造物を、例えば、複数並列したトンネル（中空部）を一体形成してなる構造物として用いた時に、各トンネル（中空部）間に位置する壁部材間の空洞部を、トンネルの管理や避難用の通路およびトンネルの設備用通路などに利用できるようにしている。
【００２３】
また、各中空部）間に位置する壁部材間の空洞部を、管理や避難用通路および設備用通路などに利用できるようにしたことにより、複数の中空部を有する中空構造物を簡単な構造として安価に提供することができる。
【図面の簡単な説明】
【図１】  この発明の複数の中空部を有する中空構造物を示す概略図である。
【図２】  この発明の複数の中空部を有する中空構造物の別形態を示す概略図である。
【図３】  従来の複数の中空部を有する中空構造物を示す概略図である。
【符号の説明】
１…中空構造物、２…側壁部材、３…上版部材、４…中空部、５…（空洞部の両側の）壁部材、６…空洞部。
【図１】
0004450484.tif 000002
【図２】
0004450484.tif 000003
【図３】
0004450484.tif 000004